(57)【特許請求の範囲】
【請求項１】
レジスタにおけるリテーナにて相互に対向する一対の側壁の間に回動可能に配設され、レジスタから外部に向かって吹き出される風の風向を上下方向に調節するレジスタ用長尺状フィンであって、
板状に形成された樹脂製の長尺状フィン本体と、
前記長尺状フィン本体の前端縁に設けられる樹脂製の装飾部材とを備え、
前記長尺状フィン本体を一次成形した後、長尺状フィン本体に対して前記装飾部材を二次成形する２色成形により形成され、
前記一次成形時点で長尺状フィン本体には、その前端縁から内側方向に入り込むように前端縁側が開放されるとともに長尺状フィン本体の長さ方向における中央部で幅広に形成され且つ中央部から両端部にいくに従って幅狭に形成された溝部が設けられ、長尺状フィン本体の長さ方向における中央部には装飾部材の樹脂が流れ込むゲート孔が形成され、
前記二次成形時に、装飾部材用の樹脂が前記ゲート孔から前記溝部に流入されることを特徴とするレジスタ用長尺状フィン。
【請求項２】
前記長尺状フィン本体はガラス繊維強化樹脂から形成されていることを特徴とする請求項１に記載のレジスタ用長尺状フィン。
【発明の詳細な説明】
【技術分野】
【０００１】
本発明は、車両等に設けられる空調用レジスタの空気吹出口にて水平方向に配設されるとともに上下方向に回動可能に配設され、空気吹出口から外部に向かって吹き出される風の風向を上下方向に調節するレジスタ用長尺状フィンに関し、特に、長尺状フィンの前端部に装飾部材を設けたレジスタ用長尺状フィンに関する。
【背景技術】
【０００２】
従来より、空調用レジスタに使用されるレジスタフィンに対して部分的に加飾を施したレジスタ用フィンが提案されている。
例えば、特開２０１０−２０２１０８号公報には、板状のフィン主体部と、フィン主体部を両面側から挟み込むように組み付けた一対のフィンカバーとから構成されたレジスタフィンが記載されている。
【０００３】
かかるレジスタフィンでは、フィン主体部の全体にメッキ等の塗装を行い、フィン主体部の車室側に面する部分を露出させた状態で各フィンカバーを組み付けけることにより、車室側に面する部分のみがメッキ等により加飾された意匠性の高いレジスタフィンを得ることができるものである。
【先行技術文献】
【特許文献】
【０００４】
【特許文献１】特開２０１０−２０２１０８号公報
【発明の概要】
【発明が解決しようとする課題】
【０００５】
しかしながら、前記従来のレジスタフィンは、フィン主体部に複数の係合孔部を形成するとともに、各フィンカバーに複数の係合爪部を形成しておき、フィン主体部における各係合孔部と各フィンカバーにおける係合爪部とを係合することにより組み付けされている。
【０００６】
前記従来のレジスタフィンでは、フィン主体部の両面にフィンカバーを組み付けて構成されているので、高い剛性を保持することが可能ではあるが、必然的にコスト高を招来するとともにレジスタフィンの厚さが増加してしまう。レジスタフィンはレジスタ内の限られた空間で使用されるものであるから、レジスタフィンの厚さが増加することは好ましいものではなく、レジスタフィン自体がレジスタから吹き出される風の障害物となって風向の調節が難しくなる。
【０００７】
また、レジスタフィンは、フィン主体部の係合孔にフィンカバーの係合爪部を係合させるだけで組み付けられているものであるから、レジスタフィンに荷重が加えられるとフィン主体部からフィンカバーが外れてしまう虞がある。
【０００８】
更に、レジスタフィンの加飾は、フィン主体部全体にメッキ等を施し、各フィンカバーからフィン主体部の一部を車室側に露出させることにより行われており、このためだけにフィン主体部の全体にメッキ等を施すことは非常に無駄があり、この点でもコスト高を招来してしまうものである。
【０００９】
本発明は前記従来技術における問題点を解消するためになされたものであり、高い剛性を保持しつつ厚さを薄く形成して風の風向を適正に調節することが可能であるとともに、装飾部材がフィン本体から離脱することを確実に防止することが可能なコストの低いレジスタ用長尺状フィンを提供することを目的とする。
【課題を解決するための手段】
【００１０】
前記目的を達成するため本願の請求項１に係るレジスタ用長尺状フィンは、レジスタにおけるリテーナにて相互に対向する一対の側壁の間に回動可能に配設され、レジスタから外部に向かって吹き出される風の風向を上下方向に調節するレジスタ用長尺状フィンであって、板状に形成された樹脂製の長尺状フィン本体と、前記長尺状フィン本体の前端縁に設けられる樹脂製の装飾部材とを備え、前記長尺状フィン本体を一次成形した後、長尺状フィン本体に対して前記装飾部材を二次成形する２色成形により形成され、前記一次成形時点で長尺状フィン本体には、その前端縁から内側方向に入り込むように前端縁側が開放されるとともに長尺状フィン本体の長さ方向における中央部で幅広に形成され且つ中央部から両端部にいくに従って幅狭に形成された溝部が設けられ、長尺状フィン本体の長さ方向における中央部には装飾部材の樹脂が流れ込むゲート孔が形成され、前記二次成形時に、装飾部材用の樹脂が前記ゲート孔から前記溝部に流入されることを特徴とする。
【００１１】
本願の請求項２に係るレジスタ用長尺状フィンは、請求項１のレジスタ用長尺状フィンにおいて、前記長尺状フィン本体は、ガラス繊維強化樹脂から形成されていることを特徴とする。
【発明の効果】
【００１２】
請求項１に係るレジスタ用長尺状フィンは、長尺状フィン本体と装飾部材とを２色成形してレジスタ用長尺状フィンを形成する際に、長尺状フィン本体の一次成形時点で長尺状フィン本体には、その前端縁から内側方向に入り込むように前端縁側が開放されるとともに長尺状フィン本体の長さ方向における中央部で幅広に形成され且つ中央部から両端部にいくに従って幅狭に形成された溝部が設けられ、長尺状フィン本体の長さ方向における中央部には装飾部材の樹脂が流れ込むゲート孔が形成され、前記二次成形時に、装飾部材用の樹脂が前記ゲート孔から前記溝部に流入されるので、装飾部材は長尺状フィン本体の前端縁における溝部で強固に長尺状フィン本体に固着されることとなり、これより装飾部材は長尺状フィン本体から離脱してしまうことを確実に防止することができ、また、装飾部材の樹脂がどのような樹脂であっても二色成形することができる。
【００１３】
また、長尺状フィン本体に形成されたゲート孔は長尺状フィン本体の長さ方向における中央部に形成されており、装飾部材用樹脂はかかるゲート孔からゲート孔の両側に向かって溝部を流れていくので、樹脂流路の長さをゲート孔の両側で均等化することにより樹脂流動圧を低く保持しつつ装飾部材用樹脂を良好な流動性をもって装飾部材用樹脂を溝部に均等に行き渡らせることができる。これにより、装飾部材の成形性が向上し、また、成形むらが発生することを防止することができる。
【００１４】
長尺状フィン本体は一枚の板状に形成され、装飾部材は長尺状フィン本体の前端縁に固着されているだけであるので、レジスタ用長尺状フィン全体の厚さを薄く形成することができる。このように構成されたレジスタ用長尺状フィンは、レジスタから吹き出される風の障害物となることなく、風の風向を適正に調節することができる。
【００１５】
前記したようにレジスタ用長尺状フィンは、長尺状フィン本体とその前端縁に固着された装飾部材とから構成されており、部品点数を必要最小限にしてコストが低く装飾性の高いレジスタ用長尺状フィンを実現することができる。
【００１６】
本願の請求項２に係るレジスタ用長尺状フィンでは、長尺状フィン本体がガラス繊維強化樹脂から形成されているので、長尺状フィン本体を薄く成形した場合でも高い剛性を保持することができ、また、荷重が加えられた場合においても変形等を生じることはない。
【図面の簡単な説明】
【００１７】
【図１】本実施形態に係るレジスタ用長尺フィンを使用するレジスタが自動車の室内で前方に配置されたインスツルメントパネルに配置された状態を示す説明図である。
【図２】本実施形態に係るレジスタの斜視図である。
【図３】レジスタ用長尺状フィンの平面図である。
【図４】レジスタ用長尺状フィンの斜視図である。
【図５】レジスタ用長尺状フィンの背面図である。
【図６】一次成形後に長尺状フィン本体に形成されるゲート孔の説明図である。
【図７】レジスタ用長尺状フィンをゲート孔を通る位置で切断して示す装飾部材の説明図である。
【図８】レジスタ用長尺状フィンに取り付けられるノブを構成する上側ノブ部材の斜視図である。
【図９】上側ノブ部材の裏面斜視図である。
【図１０】上側ノブ部材の平面図である。
【図１１】上側ノブ部材の正面図である。
【図１２】長尺状フィンの他の例を示す長尺状フィンの前部拡大断面図である。
【発明を実施するための形態】
【００１８】
以下、本発明に係るレジスタ用長尺状フィンについて、本発明を具体化した実施形態に基づき図面を参照しつつ詳細に説明する。
先ず、本実施形態に係るレジスタ用長尺状フィンを使用したレジスタの使用形態について図１に基づき説明する。
【００１９】
図１において、自動車の室内で前方に配置されたインスツルメントパネル１の中央位置には、ナビゲーションシステム等で使用されるディスプレイ２が配置されている。ディスプレイの下方位置には、本実施例に係る一対のレジスタ３が配設されている。尚、インスツルメントパネル１の左右サイドにも一対のレジスタ４が配設されているが、これらのレジスタ４は長尺状フィンは使用されておらず、公知の構成を有している。
【００２０】
図２において、本実施形態に係るレジスタ３は、正面視長方形状を有しており、断面が略長方形状に形成された筒状の通風部５を有するリテーナ６を備えている。リテーナ６の内部には、レジスタ３を構成する各種の部品が収納されており、また、リテーナ６の前面側（図２中手前側）には、通風部５に連通する空気吹出口７が形成されている。
【００２１】
リテーナ６において空気吹出口７を画成し、左右方向で相互に対向する一対の側壁８、８（図２には一方の側壁８のみを示す）の間には、本実施形態に係る長尺状フィン９が回動可能に配設されている。かかる長尺状フィン９は、空気吹出口７から外部に向かって吹き出される風の風向を上下方向に調節するのに使用される。長尺状フィン９の略中央部には、長尺状フィン９に対してスライド可能に取り付けられるノブ１０が設けられている。ノブ１０は、図２に示すように、上側ノブ部材１０Ａと下側ノブ部材１０Ｂとから構成されており、上側ノブ部材１０Ａの下部と下側ノブ部材１０Ｂの上部との間に形成される挿通凹部（後述する）には、ノブ１０がスライド可能となるように長尺状フィン９が挿通されている。
尚、このノブ１０の構成については後述する。
【００２２】
空気吹出口７にて長尺状フィン９の背後には、複数の縦フィン１１を公知のリンク機構を介して一体に左右方向に回動させる縦フィン機構１２が配設されている。かかる縦フィン機構１２の各縦フィン１１は、ノブ１０との間に設けられる公知のギア機構によりノブ１０の左右方向へのスライドに対応して左右方向へ回動され、空気吹出口７から吹き出される風の風向を左右方向に調節するのに使用される。
【００２３】
続いて、長尺状フィン９の構成について図３乃至図５に基づき説明する。長尺状フィン９は、板状に形成された樹脂製の長尺状フィン本体１３及び長尺状フィン本体１３の前端縁に設けられる樹脂製の装飾部材１４とを備えている。
【００２４】
長尺状フィン本体１３の両端部からは支持軸１５、１５が延設されており、これらの各支持軸１５は、空気吹出口７の各側壁８、８に形成された支持孔（図示せず）に回動可能に支持されている。また、長尺状フィン本体１３の後端部には、ノブ１０をスライド可能に支持するノブ支持部１６、１６が形成されており、各ノブ支持部１６には、図５に示すように、凹溝１７が設けられている。
【００２５】
前記のように構成された長尺状フィン９は、所謂、樹脂の２色形成により形成される。長尺状フィン９を２色成形するには、先ず、長尺状フィン本体１３を成形するための一次成形型にガラス繊維を混入したポリブチレンテレフタレート（ＰＢＴ）を流し込んで長尺状フィン本体１３を一次成形する。このように成形した長尺状フィン本体１３を図６、図７に示す。
【００２６】
一次成形後の長尺状フィン本体１３では、図６に示すように、その前端部から内側方向に入り込むように溝部１８が形成されている。溝部１８は、装飾部材１４を二次成形するためのキャビティであり、長尺状フィン本体１３の長さ方向における中央部１９で幅広に形成されるとともに中央部１９から両端部にいくに従って幅狭に形成されている。また、中央部１９には、溝部１８に連通するゲート孔２０が形成されている。
【００２７】
前記のように一次成形された長尺状フィン本体１３を二次形成型に配置し、ポリブチレンテレフタレートにアルミ粉を混錬した樹脂材料をゲート孔２０から注入する。これにより樹脂材料は、ゲート孔２０から溝部１８の中央部１９を経て長尺状フィン本体１３の両端部に流入していく。
【００２８】
このとき、図５及び図６に示すように、長尺状フィン本体１３の一次成形時点で長尺状フィン本体１３の前端縁から内側方向に入り込んだ溝部１８が形成されるとともに長尺状フィン本体１３の長さ方向における中央部１９には装飾部材成形用樹脂材料が流れ込むゲート孔２０が形成され、長尺状フィン本体１３に対する装飾部材１４の二次形成時に、装飾部材用樹脂材料がゲート孔２０から前記溝部１８に流入されるので、装飾部材１４は長尺状フィン本体１３の前端縁における溝部１８で強固に長尺状フィン本体１３に固着されることとなり、これより装飾部材１４が長尺状フィン本体１３から離脱してしまうことを確実に防止することができ、また、装飾部材用樹脂材料がどのような樹脂材料であっても二色成形することができる。
【００２９】
また、長尺状フィン本体１３に形成されたゲート孔２０は長尺状フィン本体１３の長さ方向における中央部に形成されており、装飾部材用樹脂はかかるゲート孔２０からゲート孔２０の両側に向かって溝部１８を流れていくので、樹脂流路の長さをゲート孔２０の両側で均等化することにより樹脂流動圧を低く保持しつつ装飾部材用樹脂を良好な流動性をもって溝部１８の全体に均等に行き渡らせることができる。これにより、装飾部材１４の成形性が向上し、また、成形むらが発生することを防止することができる。
【００３０】
長尺状フィン本体１３は一枚の板状に形成され、装飾部材１４は長尺状フィン本体１３の前端縁に固着されているだけであるので、長尺状フィン９の全体の厚さを薄く形成することができる。このように構成された長尺状フィン９は、レジスタ１から吹き出される風の障害物となることなく、風の風向を適正に調節することができる。
【００３１】
前記したように長尺状フィン９は、長尺状フィン本体１３とその前端縁に固着された装飾部材１４とから構成されており、部品点数を必要最小限にしてコストが低く装飾性の高い長尺状フィン９を実現することができる。
【００３２】
長尺状フィン本体１３はポリブチレンテレフタレートにガラス繊維を混入したガラス繊維強化樹脂から形成されているので、長尺状フィン本体１３を薄く成形した場合でも高い剛性を保持することができ、また、荷重が加えられた場合においても変形等を生じることはない。
【００３３】
続いて、長尺状フィン９にスライド可能に支持されるノブ１０の構成について図８乃至図１１に基づき説明する。ここに、ノブ１０は、図２にて説明したように、上側ノブ部材１０Ａと下側ノブ部材１０Ｂとから構成されているが、ノブ１０を長尺状フィン９に対してスライド可能に保持するについては、基本的に上側ノブ部材１０Ａが主要な役割を行うので、以下においては上側ノブ部材１０Ａに着目して説明することとする。
上側ノブ部材１０Ａは、平面視で略正方形状に形成されており、水平部２１と水平部から連続して背面側に向かって上方に傾斜した後部２２とから一体に形成されている。水平部２１の前端縁には、その前端縁を囲むように装飾部材２３が設けられている。
【００３４】
上側ノブ部材１０Ａの裏面には、図８に示すように、長尺状フィン９が挿通される挿通凹部２４が形成されている。挿通用凹部２４において、図９に示すように、その前側には装飾部材２３の両端部２５、２５が配置され、また、その後側には後部２２の下部両側に形成された突起状の摺動突起２６、２６が配置されている。
【００３５】
上側ノブ部材１０Ａを長尺状フィン９に対してスライド可能に保持するには、上側ノブ部材１０Ａの摺動突起２６、２６を長尺状フィン９の背面に形成された凹溝１７、１７に挿嵌しつつ、上側ノブ部材１０Ａの挿通凹部２４に挿通する。これにより、上側ノブ部材１０Ａに設けられた装飾部材２３の両端部２５、２５が長尺状フィン９の前端側に設けられた装飾部材１４に当接し、各摺動突起２６がそれぞれの凹溝１７内で挿嵌保持される。この結果、上側ノブ部材１０Ａは、各凹部１７の長さ方向の範囲内で長尺状フィン９上でスライド可能に保持されるものである。
【００３６】
前記のように構成された上側ノブ部材１０Ａは、前記した長尺状フィン９の場合と同様に、樹脂の２色形成により形成される。上側ノブ部材１０Ａを２色成形するには、先ず、装飾部材２３を除くノブ本体を成形するための一次成形型にポリブチレンテレフタレート（ＰＢＴ）とＡＢＳ樹脂とを混合してなる樹脂材料を流し込んでノブ本体を一次成形する。このように成形したノブ本体では、装飾部材２３用の溝部が一体に形成されており、かかる溝部は、装飾部材２３を二次成形するためのキャビティとなる。
【００３７】
前記のように一次成形されたノブ本体を二次形成型に配置し、ポリブチレンテレフタレートにアルミ粉を混錬した樹脂材料を、二次成形型にて装飾部材２３の端部２５近傍に設けられたゲート孔から注入する。これにより樹脂材料は、ゲート孔からノブ本体の溝部内部に流入していく。
【００３８】
このとき、ノブ本体の一次成形時点で、ノブ本体には装飾部材２３用の溝が形成されるとともに、装飾部材用樹脂材料がゲートから溝部の内部に流入されるので、装飾部材２３はノブ本体の前端縁における溝部で強固にノブ本体に固着されることとなり、これより装飾部材２３がノブ本体から離脱してしまうことを確実に防止することができ、また、装飾部材用樹脂材料がどのような樹脂材料であっても二色成形することができる。
【００３９】
前記したように上側ノブ部材１０Ａは、ノブ本体とその前端縁に固着された装飾部材２３とから構成されており、部品点数を必要最小限にしてコストが低く装飾性の高い上側ノブ部材１０Ａを実現することができる。
【００４０】
尚、本発明は前記実施形態に限定されるものではなく、本発明の要旨を逸脱しない範囲内で種々の改良、変形が可能であることは勿論である。
例えば、前記実施形態においては、長尺状フィン本体１３の成形樹脂材料としてポリブチレンテレフタレート（ＰＢＴ）をガラス繊維で強化した樹脂材料が使用されているが、これに限定されることはなく、長尺状フィン９に要求される剛性を保持できる限りにおいて、例えば、ポリトリメチレンテレフタレート樹脂（ＰＴＴ）をガラス繊維で強化した樹脂材料やポリカーボネート樹脂（ＰＣ）等を使用することもできる。
【００４１】
また、前記実施形態に係る長尺状フィン９では、一次成形後の長尺状フィン本体１３に対して装飾部材１４の二次成形を行う際に、長尺状フィン本体１３の前端面に装飾部材１４が密着するように装飾部材１４の二次成形を行っていたが、かかる場合には、長尺状フィン本体１３の前端面の近傍における上下両面に成形上のバリ等が発生してしまい見栄えが悪くなる場合があるので、図１２に示すように、長尺状フィン本体１３の一次成形を行う時点で、アンダーカット部３０が形成されるようにしてもよい。このようにすると、成形上のバリ等は、アンダーカット部３０の斜面３１に発生することとなり、装飾部材１４の二次形成を行って長尺状フィン９を形成し、装飾部材１４の前面側（図１２右側）を矢印Ａ方向側から見た場合には、斜面３１に発生するバリ等は装飾部材１４により遮蔽されて全く見えなくなり、見栄えが良好となる。
【符号の説明】
【００４２】
３        レジスタ
５        通風部
６        リテーナ
７        空気吹出口
８        空気吹出口に形成された側壁
９        長尺状フィン
１０      ノブ
１０Ａ    上側ノブ部材
１３      フィン本体
１４      装飾部材
１５      支持軸
１８      溝部
１９      中央部
２０      ゲート孔
【図１】
0005814683.tif 000002
【図２】
0005814683.tif 000003
【図３】
0005814683.tif 000004
【図４】
0005814683.tif 000005
【図５】
0005814683.tif 000006
【図６】
0005814683.tif 000007
【図７】
0005814683.tif 000008
【図８】
0005814683.tif 000009
【図９】
0005814683.tif 000010
【図１０】
0005814683.tif 000011
【図１１】
0005814683.tif 000012
【図１２】
0005814683.tif 000013